(57)【要約】  建設機械としてのショベルは、キャビンと、キャビン内に設けられる運転席と、運転席に着座した操作者の右側に設けられ、運転席の前後方向に沿って延在するシート右側コンソールと、シート右側コンソールの前部に設けられる右操作レバーと、シート右側コンソール上に設けられるスイッチパネルと、運転席の後部側から前方へ延在し、シート右側コンソールの上方に配置される右アームレストと、を備え、スイッチパネルは、右アームレストと右操作レバーとの間に配置される。
2019189507.tif 000002
【特許請求の範囲】
【請求項１】
キャビンと、
前記キャビン内に設けられる運転席と、
前記運転席に着座した操作者の右側に設けられ、前記運転席の前後方向に沿って延在するシート右側コンソールと、
前記シート右側コンソールの前部に設けられる右操作レバーと、
前記シート右側コンソール上に設けられるスイッチパネルと、
前記運転席の後部側から前方へ延在し、前記シート右側コンソールの上方に配置される右アームレストと、
を備え、
前記スイッチパネルは、前記右アームレストと前記右操作レバーとの間に配置される、
建設機械。
【請求項２】
前記スイッチパネルの上面は、前記右アームレスト側へ傾斜して配置される、
請求項１に記載の建設機械。
【請求項３】
前記スイッチパネルには、回転軸まわりに回転可能なダイヤルが含まれる、
請求項１に記載の建設機械。
【請求項４】
前記ダイヤルは、水平面に対して前記回転軸が前記右操作レバー側へ傾斜して配置される、
請求項３に記載の建設機械。
【請求項５】
前記ダイヤルは、前記回転軸の方向に押すと当該建設機械の出力特性が切り替わる、
請求項３に記載の建設機械。
【請求項６】
前記スイッチパネルはスイッチ群を含み、
前記スイッチ群の少なくとも一部は、前記ダイヤルよりも前記運転席側に配置される、
請求項３に記載の建設機械。
【請求項７】
前記右アームレストは、前記運転席と共に前後方向に移動可能であり、
前記右アームレストが前端位置にある場合でも、前記スイッチパネルを上方から覆わないように長さが設定される、
請求項１に記載の建設機械。
【請求項８】
前記スイッチパネルは複数のスイッチを含み、
前記スイッチは、前方部よりも後方部が突出して形成される、
請求項１に記載の建設機械。
【請求項９】
前記スイッチパネルは複数のスイッチを含み、
前記スイッチは、前記スイッチパネルの上面と一体的に形成される、
請求項１に記載の建設機械。
【請求項１０】
前記スイッチパネルは複数のスイッチを含み、
前記スイッチパネルの上面には、前記複数のスイッチのそれぞれに対応する複数のインジケータが設けられ、
前記複数のインジケータは、対応する前記スイッチの操作に応じて点灯状態と消灯状態とが切り替わる、
請求項１に記載の建設機械。
【請求項１１】
前記右操作レバーに複数のスイッチが設けられ、
前記複数のスイッチは、前記右操作レバーの表面と一体的に形成される、
請求項１に記載の建設機械。
【発明の詳細な説明】
【技術分野】
【０００１】
本開示は、建設機械に関する。
【背景技術】
【０００２】
従来のショベルなどの建設機械のキャビンでは、一般に前方の表示装置に各種スイッチを含むスイッチパネルが設けられる（例えば特許文献１）。
【先行技術文献】
【特許文献】
【０００３】
【特許文献１】特開２０１７−２１０７２９号公報
【発明の概要】
【発明が解決しようとする課題】
【０００４】
表示装置にスイッチパネルがあると、オペレータはスイッチを操作する際には表示装置まで手を伸ばす必要がある。このため、スイッチを操作するたびに上体を前方へ起こしたり、腕をアームレストから離す必要があり、スイッチの操作性が非常に悪かった。【０００５】
本開示は、スイッチ類の操作性を向上できる建設機械を提供することを目的とする。
【課題を解決するための手段】
【０００６】
本発明の実施形態の一観点に係る建設機械は、キャビンと、前記キャビン内に設けられる運転席と、前記運転席に着座した操作者の右側に設けられ、前記運転席の前後方向に沿って延在するシート右側コンソールと、前記シート右側コンソールの前部に設けられる右操作レバーと、前記シート右側コンソール上に設けられるスイッチパネルと、前記運転席の後部側から前方へ延在し、前記シート右側コンソールの上方に配置される右アームレストと、を備え、前記スイッチパネルは、前記右アームレストと前記右操作レバーとの間に配置される。
【発明の効果】
【０００７】
本開示によれば、スイッチ類の操作性を向上できる建設機械を提供することができる。
【図面の簡単な説明】
【０００８】
【図１】本発明の一実施形態に係るショベルの側面図である。
【図２】図１のショベルの駆動系の構成例を示すブロック図である。
【図３】キャビンの内部をＹ正方向側から視た左側面図である。
【図４】キャビンの内部をＺ正方向側から視た平面図である。
【図５】スイッチパネルの近傍を示す側面図である。
【図６】スイッチパネルの近傍を示す斜視図である。
【図７】変形例のスイッチパネルの近傍を示す側面図である。
【図８】変形例のスイッチパネルの近傍を示す斜視図である。
【発明を実施するための形態】
【０００９】
以下、添付図面を参照しながら実施形態について説明する。説明の理解を容易にするため、各図面において同一の構成要素に対しては可能な限り同一の符号を付して、重複する説明は省略する。
【００１０】
なお、以下の説明において、Ｘ方向、Ｙ方向、Ｚ方向は互いに垂直な方向であり、典型的には、Ｘ方向およびＹ方向は水平方向、Ｚ方向は鉛直方向である。Ｘ方向は、ショベルの前後方向であり、前方側がＸ正方向であり、後方側がＸ負方向である。Ｙ方向は、ショベルの左右幅方向であり、左側がＹ正方向、右側がＹ負方向である。Ｚ方向は、ショベルの高さ方向であり、上側がＺ正方向、下側がＺ負方向である。
【００１１】
最初に、図１を参照して、本発明の一実施形態に係るショベルの全体構成について説明する。図１は本発明の一実施形態に係るショベル（掘削機）の側面図である。
【００１２】
図１に示されるように、ショベルの下部走行体１には、旋回機構２を介して上部旋回体３が旋回可能に搭載されている。上部旋回体３には、ブーム４が取り付けられている。ブーム４の先端には、アーム５が取り付けられ、アーム５の先端には、エンドアタッチメントとしてのバケット６が取り付けられている。ブーム４、アーム５、及びバケット６は、アタッチメントの一例としての掘削アタッチメントを構成し、ブームシリンダ７、アームシリンダ８、及びバケットシリンダ９によりそれぞれ油圧駆動される。上部旋回体３には、運転室であるキャビン１０が設けられ、且つエンジン１１等の動力源が搭載される。
【００１３】
キャビン１０内には、コントローラ３０が設置されている。コントローラ３０は、ショベルの駆動制御を行う主制御部として機能する。本実施形態では、コントローラ３０は、ＣＰＵ、ＲＡＭ、ＲＯＭ等を含むコンピュータで構成されている。コントローラ３０の各種機能は、例えば、ＲＯＭに格納されたプログラムをＣＰＵが実行することで実現される。
【００１４】
次に、図２を参照して、図１のショベルの駆動系の構成について説明する。図２は、図１のショベルの駆動系の構成例を示すブロック図である。図２中、機械的動力系、高圧油圧ライン、パイロットライン、及び電気制御系をそれぞれ二重線、太実線、破線、及び点線で示している。
【００１５】
図２に示されるように、ショベルの駆動系は、主に、エンジン１１、レギュレータ１３、メインポンプ１４、パイロットポンプ１５、コントロールバルブ１７、操作装置２６、吐出圧センサ２８、操作圧センサ２９、コントローラ３０、比例弁３１、ダイヤル３２、表示装置３３、スイッチ群４１ａ〜４１ｆ等を含む。
【００１６】
エンジン１１は、ショベルの駆動源である。本実施形態では、エンジン１１は、例えば所定の回転数を維持するように動作するディーゼルエンジンである。また、エンジン１１の出力軸は、メインポンプ１４及びパイロットポンプ１５の入力軸に連結されている。
【００１７】
メインポンプ１４は、高圧油圧ラインを介して作動油をコントロールバルブ１７に供給する。本実施形態では、メインポンプ１４は、斜板式可変容量型油圧ポンプである。
【００１８】
レギュレータ１３は、メインポンプ１４の吐出量を制御する。本実施形態では、レギュレータ１３は、コントローラ３０からの制御指令に応じてメインポンプ１４の斜板傾転角を調節することによってメインポンプ１４の吐出量を制御する。
【００１９】
パイロットポンプ１５は、パイロットラインを介して操作装置２６及び比例弁３１を含む各種油圧制御機器に作動油を供給する。本実施形態では、パイロットポンプ１５は、固定容量型油圧ポンプである。
【００２０】
コントロールバルブ１７は、ショベルにおける油圧システムを制御する油圧制御装置である。コントロールバルブ１７は、制御弁１７１〜１７６、及びブリード弁１７７を含む。コントロールバルブ１７は、制御弁１７１〜１７６を通じ、メインポンプ１４が吐出する作動油を１又は複数の油圧アクチュエータに選択的に供給できる。制御弁１７１〜１７６は、メインポンプ１４から油圧アクチュエータに流れる作動油の流量、及び油圧アクチュエータから作動油タンクに流れる作動油の流量を制御する。油圧アクチュエータは、ブームシリンダ７、アームシリンダ８、バケットシリンダ９、左側走行用油圧モータ１Ａ、右側走行用油圧モータ１Ｂ、及び旋回用油圧モータ２Ａを含む。ブリード弁１７７は、メインポンプ１４が吐出する作動油のうち、油圧アクチュエータを経由せずに作動油タンクに流れる作動油の流量（以下、「ブリード流量」とする。）を制御する。ブリード弁１７７は、コントロールバルブ１７の外部に設置されていてもよい。
【００２１】
操作装置２６は、操作者が油圧アクチュエータの操作のために用いる装置である。本実施形態では、操作装置２６は、パイロットラインを介して、パイロットポンプ１５が吐出する作動油を油圧アクチュエータのそれぞれに対応する制御弁のパイロットポートに供給する。パイロットポートのそれぞれに供給される作動油の圧力（パイロット圧）は、油圧アクチュエータのそれぞれに対応する操作装置２６のレバー又はペダル（図３、図４参照）の操作方向及び操作量に応じた圧力である。
【００２２】
吐出圧センサ２８は、メインポンプ１４の吐出圧を検出する。本実施形態では、吐出圧センサ２８は、検出した値をコントローラ３０に対して出力する。
【００２３】
操作圧センサ２９は、操作装置２６を用いた操作者の操作内容を検出する。本実施形態では、操作圧センサ２９は、油圧アクチュエータのそれぞれに対応する操作装置２６のレバー又はペダルの操作方向及び操作量を圧力（操作圧）の形で検出し、検出した値をコントローラ３０に対して出力する。操作装置２６の操作内容は、操作圧センサ以外の他のセンサを用いて検出されてもよい。
【００２４】
比例弁３１は、コントローラ３０が出力する制御指令に応じて動作する。本実施形態では、比例弁３１は、コントローラ３０が出力する電流指令に応じてパイロットポンプ１５からコントロールバルブ１７内のブリード弁１７７のパイロットポートに導入される二次圧を調整する電磁弁である。比例弁３１は、例えば、電流指令が大きいほど、ブリード弁１７７のパイロットポートに導入される二次圧が大きくなるように動作する。
【００２５】
ダイヤル３２は、操作者がエンジン１１の回転数を選択するための回転式のつまみである。ダイヤル３２はエンジン回転数の調整を回転によって行うことができる。また、ダイヤル３２には出力特性切替スイッチ３５が設けられており、出力特性切替スイッチ３５の押下によってショベルの出力特性を切り替えることができる。
【００２６】
ダイヤル３２は、エンジン回転数を複数段階から選択できる。これらの複数段階は、例えば図２に示すようにＰＯＷＥＲモード、ＳＴＤモード、ＩＤＬＥモードを含む。ＰＯＷＥＲモードは、作業量を優先したい場合に選択される作業モードであり、最も高いエンジン回転数を利用し、且つ最も高い加減速特性を利用する。ＳＴＤモードは、作業量と燃費を両立させたい場合に選択される作業モードであり、二番目に高いエンジン回転数を利用し、且つ二番目に高い加減速特性を利用する。ＩＤＬＥモードは、エンジンをアイドリング状態にしたい場合に選択される作業モードであり、最も低いエンジン回転数を利用し、且つ最も低い加減速特性を利用する。
【００２７】
また、出力特性切替スイッチ３５では、例えば通常特性と低燃費特性の２段階に出力特性を切り替えることができる。低燃費特性は、レバー操作に対応した油圧アクチュエータの加速特性や減速特性を緩やかにし、正確な操作性と安全性を向上させ、低騒音でショベルを稼働させたい場合に選択される出力特性である。例えば、低燃費特性では、エンジン出力トルク線図を変更させる。具体的に、通常特性のエンジン出力トルク線図に加えて、低燃費特性のエンジン出力トルク線図を用意し、出力特性切替スイッチ３５を押すことで、エンジン出力トルク線図を変更する。つまり、出力特性が低燃費特性に設定されると、トルクが小さいエンジン出力トルク線図に変更される。また、例えば、低燃費特性は、同一のエンジン出力トルク線図（通常特性のエンジン出力トルク線図）において、エンジン回転数が所定値減少される構成であってもよい。具体的に、ダイヤル３２における各段階のエンジン回転数を所定値減少させる。このとき、低燃費特性の最大エンジン回転数は、通常特性の最大エンジン回転数よりも低くしてもよい。このように、低燃費特性は、エンジンを制御することによって、通常特性よりも低燃費にショベルを稼動することができる。ここで、低燃費特性は、通常特性のエンジン出力トルク線図を別のエンジン出力トルク線図に変更することに加えて、エンジン回転数が所定値減少される構成であってもよい。
【００２８】
ダイヤル３２、出力特性切替スイッチ３５からは、エンジン回転数の設定状態や出力特性に関する情報がコントローラ３０に常時送信されている。そして、コントローラ３０は、ダイヤル３２で設定されたエンジン回転数で、エンジン１１の回転数制御を行う。
【００２９】
また、コントローラ３０には、表示装置側スイッチ群３４、スイッチ群４１ａ〜４１ｆ、ロッカースイッチ４４などから各種情報が入力される。
【００３０】
次に、図３及び図４を参照して、キャビン１０内に設置された運転席１００及び操作装置２６について説明する。図３は、キャビン１０の内部をＹ正方向側から視た左側面図である。図４は、キャビン１０の内部をＺ正方向側から視た平面図である。
【００３１】
キャビン１０内には運転席１００が設置される。運転席１００は操作者が着座するシート１０２と背もたれ１０４とを含む。運転席はリクライニングシートであり、背もたれ１０４の傾斜角度を調節可能となっている。運転席１００の左右両側にそれぞれ左アームレスト１０６Ａ及び右アームレスト１０６Ｂが配置される。左アームレスト１０６Ａ及び右アームレスト１０６Ｂは回動可能に支持されている。
【００３２】
運転席１００の左右両側には、シート左側コンソール１２０Ａ及びシート右側コンソール１２０Ｂがそれぞれ配置される。シート左側コンソール１２０Ａ及びシート右側コンソール１２０Ｂは、運転席の前後方向に沿って延在するよう設けられる。運転席１００は、前後にスライド可能に構成される。したがって、左走行レバー２６Ｅ、右走行レバー２６Ｆやキャビン１０のフロントガラス、シート左側コンソール１２０Ａ及びシート右側コンソール１２０Ｂに対し、操作者は運転席１００を好みの位置に移動して固定することができる。ここで、運転席１００は、シート左側コンソール１２０Ａ、シート右側コンソール１２０Ｂ、左アームレスト１０６Ａ及び右アームレスト１０６Ｂと共に前後方向に移動可能な構成であってもよい。
【００３３】
シート左側コンソール１２０Ａの前部に左操作レバー２６Ａが設けられる。同様に、シート右側コンソール１２０Ｂの前部に右操作レバー２６Ｂが設けられる。運転席１００に着座した操作者は、左手で左操作レバー２６Ａを把持しながら左操作レバー２６Ａを操作し、且つ右手で右操作レバー２６Ｂを把持しながら右操作レバー２６Ｂを操作する。運転席１００に着座した操作者は、左手で左操作レバー２６Ａを操作してアームシリンダ８及び旋回用油圧モータ２Ａを駆動する。また、右手で右操作レバー２６Ｂを操作してブームシリンダ７及びバケットシリンダ９を駆動する
【００３４】
左操作レバー２６Ａ、右操作レバー２６Ｂの基部側はレバーカバー２７で覆われており、これにより、左操作レバー２６Ａ及び右操作レバー２６Ｂが、それぞれシート左側コンソール１２０Ａ、シート右側コンソール１２０Ｂの表面と段差なく連続的に接続されるように構成されている。
【００３５】
運転席１００の前方の床面に左走行ペダル２６Ｃ，右走行ペダル２６Ｄが配置される。運転席１００に着座した操作者は、左足で左走行ペダル２６Ｃを操作して左側走行用油圧モータ１Ａを駆動する。また、運転席１００に着座した操作者は、右足で右走行ペダル２６Ｄを操作して右側走行用油圧モータ１Ｂを駆動する。
【００３６】
左走行ペダル２６Ｃの近傍から左走行レバー２６Ｅが上方に向けて延在している。運転席１００に着座した操作者は、左手で左走行レバー２６Ｅを把持しながら操作することで、左走行ペダル２６Ｃでの操作と同様に、左側走行用油圧モータ１Ａを駆動することができる。また、右走行ペダル２６Ｄの近傍から右走行レバー２６Ｆが上方に向けて延在している。運転席１００に着座した操作者は、右手で右走行レバー２６Ｆを把持しながら操作することで、右走行ペダル２６Ｄでの操作と同様に、右側走行用油圧モータ１Ｂを駆動することができる。
【００３７】
なお、キャビン１０内の右前部には、ショベルの作業条件や動作状態などの情報を表示する表示装置３３が配置される。運転席１００に着座した操作者は表示装置３３に表示された各種情報を確認しながらショベルによる作業を行なうことができる。表示装置３３には、例えば表示装置３３の表示制御用などの表示装置側スイッチ群３４が設けられる。
【００３８】
また、運転席１００の左側（すなわち、キャビンの乗降用ドアがある側）には、ゲートロックレバー１４０が設けられる。ゲートロックレバー１４０を引き上げることで、エンジン１１の起動が許可され、ショベルを操作することができる。ゲートロックレバー１４０を引き下げると、エンジン１１を含む作動部は起動できなくなる。したがって、操作者が運転席に着座してゲートロックレバー１４０を引き上げた状態にしない限り、ショベルは作動できず、安全性が保たれる。
【００３９】
運転席１００のシート右側コンソール１２０Ｂより右側には、窓側コンソール１２０Ｃが設置される。窓側コンソール１２０Ｃは、例えばキャビン１０の前後方向に亘って延在し、シート右側コンソール１２０Ｂと平行に設けられる。表示装置３３は例えば窓側コンソール１２０Ｃの前部に設置することができる。窓側コンソール１２０Ｃには、イグニッションスイッチ４２、ラジオ４３などが設置される。ここで、イグニッションスイッチ４２、ラジオ４３などは、シート左側コンソール１２０Ａ、又は、シート右側コンソール１２０Ｂに設置されてもよい。
【００４０】
左アームレスト１０６Ａ及び右アームレスト１０６Ｂは、それぞれシート左側コンソール１２０Ａ及びシート右側コンソール１２０Ｂの上方に配置される。Ｚ方向から視たときに、左アームレスト１０６Ａ、右アームレスト１０６Ｂの少なくとも一部が、シート左側コンソール１２０Ａ、シート右側コンソール１２０Ｂの後部を隠すように配置されている。
【００４１】
そして特に本実施形態では、シート右側コンソール１２０Ｂにおいて、右アームレスト１０６Ｂと右操作レバー２６Ｂとの間の位置にスイッチパネル４１が配置される。スイッチパネル４１は、スイッチ群４１ａ〜４１ｆと、ダイヤル３２とを含む。ダイヤル３２には出力特性切替スイッチ３５が設けられる。
【００４２】
図５、図６を参照して、スイッチパネル４１の詳細について説明する。図５は、スイッチパネル４１の近傍を示す側面図である。図６は、スイッチパネル４１の近傍を示す斜視図である。
【００４３】
スイッチパネル４１は、シート右側コンソール１２０Ｂの上面に設けられ、右アームレスト１０６Ｂより前方、かつ、右操作レバー２６Ｂより後方に配置される。
【００４４】
右アームレスト１０６Ｂは、運転席１００と共に前後方向に移動可能であり、右アームレスト１０６Ｂが前端位置にある場合でも、右アームレスト１０６Ｂの前端部１０７がスイッチパネル４１の全体を上方から覆わないように、アームレストの長さが設定されるのが好ましい。ここで、左アームレスト１０６Ａ及び右アームレスト１０６Ｂは、運転席１００の移動とは独立して前後方向に移動可能に構成されてもよい。また、右アームレスト１０６Ｂは、少なくともスイッチ群４１ａ〜４１ｆ及びダイヤル３２を上方から覆わない構成であればよいので、スイッチパネル４１の一部を上方から覆っていてもよい。
【００４５】
スイッチパネル４１に配置するスイッチ群４１ａ〜４１ｆは、主にショベル運転中に使用頻度が高い機能を適用するのが好ましい。例えば、スイッチ群４１ａ〜４１ｆは、設定状態切替スイッチとしての走行切り換え、予備回路切換え（アタッチメント切り換え）、クレーンモード切替、装備品のＯＮ／ＯＦＦスイッチとしてのワイパー、ライト、ウィンドウォッシャーなどの機能を有するスイッチを含むことができる。
【００４６】
このようにスイッチパネル４１が配置されることで、ショベル運転中に使用頻度の高いスイッチ群４１ａ〜４１ｆをシート右側コンソール１２０Ｂに集約できる。操作者は、右アームレスト１０６Ｂに腕を置いて右操作レバー２６Ｂを把持している状態から、右操作レバー２６Ｂから手を放せば、右アームレスト１０６Ｂに腕を置いたままでスイッチパネル４１を操作可能である。これにより、スイッチ操作時に操作者は前方に上体を起こしたり、腕をアームレストから離すことなくスイッチ操作を行うことが可能となり、スイッチ類の操作性を向上できる。
【００４７】
スイッチパネル４１の上面４５は、後方の右アームレスト１０６Ｂ側へ傾斜して配置される。上面４５の傾斜角度θ１は、例えば１０〜４０度程度である。これにより、操作者からスイッチパネル４１の上面４５が見やすくなり、操作性をさらに向上できる。ここで、スイッチパネル４１の上面４５は、さらに、運転席側（Ｙ正方向側）へ傾斜されてもよい。
【００４８】
ダイヤル３２は、略円柱状であり、その中心軸が回転軸Ａである。ダイヤル３２は、回転軸Ａまわりに回転可能であり、この回転軸Ａまわりの回転によってエンジン１１の回転数が調整される。また、出力特性切替スイッチ３５は、ダイヤル３２の円柱形状の上面に設けられ、回転軸Ａの方向に押下することによってショベルの出力特性が切り替えられる。
【００４９】
ダイヤル３２は、水平面に対して回転軸Ａの方向が前方の右操作レバー２６Ｂ側へ傾斜して配置される。具体的には、後方側に傾斜するスイッチパネル４１の上面４５に基台４６が設けられる。この基台４６は上面が前方側に傾斜するように形成され、ダイヤル３２は基台４６の上面に設置される。ダイヤル３２の回転軸Ａが前方に傾斜した状態であると、操作者は右アームレスト１０６Ｂに腕を置いたままでもダイヤル３２を掴みやすいので、ダイヤル３２の操作性を向上できる。
【００５０】
なお、スイッチパネル４１の上面４５に対するダイヤル３２の回転軸Ａの傾斜角度θ２は、例えば２０〜５０度程度である。
【００５１】
上述のとおり、スイッチパネル４１のスイッチ群４１ａ〜４１ｆには、運転中に使用頻度の高い機能のスイッチを適用するのが好ましい。一方、表示装置３３に配置する表示装置側スイッチ群３４は、運転中に使用頻度の低い機能のスイッチを適用することができる。表示装置側スイッチ群３４は、例えば、エアコンの温度調整や風量調整、アワーメータとトリップメータの切替、上下左右キーを含むことができる。
【００５２】
ロッカースイッチ４４には、オプション的な機能のものを適宜適用できる。ロッカースイッチ４４は、例えば、応用機（グラップルやリフティングマグネットなど）で利用する予備回路切換え（アタッチメント切り換え）、走行アラーム、障害物検知機能のオンオフ切り替え、等を含むことができる。ここで、ロッカースイッチ４４は、シート右側コンソール１２０Ｂにおいて、右アームレスト１０６Ｂの下方に配置される。
【００５３】
スイッチパネル４１の制御手法は、例えば、スイッチパネル４１にマイコンを設けて、スイッチ群４１ａ〜４１ｆ及びダイヤル３２の情報を制御して、ＣＡＮ通信でコントローラ３０に送信してもよいし、または、各種スイッチ４１ａ〜４１ｆ及びダイヤル３２の信号をそれぞれコントローラ３０に送り、コントローラ３０で各信号を制御してもよい。
【００５４】
スイッチパネル４１のスイッチ群４１ａ〜４１ｆは、ダイヤル３２の周囲に配置される。本実施形態では、ダイヤル３２より運転席側と、右操作レバー２６Ｂ側に配置される。スイッチ群の割り当ては、例えばスイッチパネル４１左上のスイッチ４１ａが走行速度切替、その右隣（Ｙ負方向側）のスイッチ４１ｂが予備回路切替、その右隣のスイッチ４１ｃがクレーンモード切替、スイッチ４１ａより手前側（Ｘ負方向側）のスイッチ４１ｄが作業灯スイッチ、その手前のスイッチ４１ｅがワイパースイッチ、その手前のスイッチ４１ｆがウォッシャースイッチである。
【００５５】
スイッチ群４１ａ〜４１ｆは、少なくとも一部（図６の例では、スイッチ４１ａ、４１ｄ、４１ｅ、４１ｆ）がダイヤル３２よりも運転席１００側に配置されるのが好ましい。これにより、図６に示すように、運転席に着座した操作者にとってスイッチが手前側に配置されることになるので、操作者がスイッチを視認しやすくでき、操作性を向上できる。
【００５６】
本実施形態では、スイッチ４１ａ〜４１ｆは、押すたびにオンとオフとを繰り返し、かつ、押された後に押す前の基準位置まで戻るタイプのスイッチであるのが好ましい。これにより、スイッチ操作によってスイッチ４１ａ〜４１ｆがスイッチパネル４１の上面４５より窪むことがないので、スイッチパネル４１に埃などが溜まりにくくできる。
【００５７】
また、各スイッチ４１ａ〜４１ｆの表面はスイッチパネル４１の上面４５と一体的に形成される。これにより、各スイッチ４１ａ〜４１ｆと上面４５との間に隙間が無くなるので、隙間からスイッチパネル４１内に埃が入り込むのを防止でき、スイッチパネル４１の動作の安定性を担保できる。スイッチ４１ａ〜４１ｆと上面４５とは、例えばシリコンなど押圧時に弾力を生じる材料で形成され、これによりスイッチの接触感を向上できるよう構成されている。また、スイッチ４１ａ〜４１ｆの表面はつや消し加工が施され、これによりスイッチ表面に埃がつきにくくできるよう構成されている。
【００５８】
また、各スイッチ４１ａ〜４１ｆの形状は、図５、図６に示すように、スイッチパネル４１の上面４５に対して、車両前方側（Ｘ正方向側）の前方部４９Ａよりも車両後方側（Ｘ負方向側）の後方部４９Ｂが突出している。側方（Ｙ方向）から視たときに、後方部４９Ｂの突出部分から前方部４９Ａまでの間には、滑らかな凹曲面部４９Ｃが形成されている。この凹曲面部４９Ｃには、指先が前方を向くようにｘ方向に沿って運転者が指をスイッチ上に置いたときに指の腹が嵌まるので、これによりスイッチ４１ａ〜４１ｆの指掛かりを向上でき、スイッチ４１ａ〜４１ｆの操作性を向上できる。
【００５９】
スイッチパネル４１のスイッチ群４１ａ〜４１ｆには、各スイッチに割り当てられている機能がわかるようなイラストが描かれ、各スイッチがオン状態のときに当該スイッチ上のイラストが光る構成としてもよい。
【００６０】
また、スイッチパネル４１の上面４５のうち各スイッチ４１ａ〜４１ｆの近傍には、各スイッチに対応するインジケータ４７ａ〜４７ｆが設けられている。インジケータ４７ａ〜４７ｆはスイッチの操作に応じて点灯状態と消灯状態とを切り替える。例えば各インジケータは、関連付けられているスイッチがオン状態のときには点灯状態となり、スイッチがオン状態であることを運転者が視覚的に認識しやすくできる。例えば、作業灯点灯用のスイッチ４１ｄがオン状態のときには、このスイッチ４１ｄに対応するインジケータ４７ｄが点灯し、作業灯点灯用のスイッチ４１ｄがオフ状態のときにはインジケータ４７ｄは消灯する。インジケータ４７ａ〜４７ｆの点灯色は例えばオレンジであるが、その他の色（青、赤、黄色等）であってもよい。このようなインジケータ４７ａ〜４７ｆの視覚的効果は、スイッチ４１ａ〜４１ｆが、押すたびにオンとオフとを繰り返し、かつ、押された後に押す前の基準位置まで戻るタイプのスイッチであって、オン状態とオフ状態とで外観に差異が無い構成の場合に特に有効である。
【００６１】
なお、インジケータの符号のアルファベットａ〜ｆは、各インジケータの動作が関連付けられているスイッチ４１ａ〜４１ｆの符号と同一である。各スイッチに対応付けられるインジケータの数は複数でもよく、図６の例では、スイッチ４１ｅには２つのインジケータ４７ｅ１、４７ｅ２が関連付けて設けられている。上述のように、スイッチ４１ｅはワイパースイッチであり、スイッチ４１ｅの押下回数に応じてワイパーの作動速度が複数段階に切り替わる。例えば、ワイパーが低速運転時にはインジケータ４７ｅ１のみが点灯し、ワイパーが高速運転時にはインジケータ４７ｅ１、４７ｅ２の両方が点灯するよう構成できる。このように、各スイッチの機能に応じてインジケータの点灯パターンや数を任意に調整することができ、これにより各スイッチの機能の実施状況を運転者により効果的に報知できる。
【００６２】
また、本実施形態では、スイッチ４１ａ〜４１ｆの押し方によって異なる機能を発揮する構成としてもよい。例えば、隣接する走行速度切替用のスイッチ４１ａと、作業灯点灯用のスイッチ４１ｄとを同時に長押しした場合には、ショベルの旋回動作がロックされる。予備回路切替用のスイッチ４１ｂを長押しした場合には、表示装置３３に予備回路の設定画面が表示される。
【００６３】
また、本実施形態では、ショベルのエンジン停止後でも、スイッチ４１ａ〜４１ｆのオン状態を所定時間維持する構成でもよい。例えば、作業灯点灯用のスイッチ４１ｄがオン状態であり、ショベルの作業灯が点灯されているときにエンジンが停止された場合には、スイッチ４１ｄのオン状態が所定時間維持され、これにより作業灯をエンジン停止後に所定時間点灯させることができる。この場合、エンジン停止後に即座に作業灯が消灯せずに所定時間は点灯し続けるので、運転者がキャビン１０から降りるときの周囲の視認性を確保でき、安全性を向上できる。
【００６４】
また、本実施形態では、図６に示すように、右操作レバー２６Ｂの上端部の車両後方側（ｘ負方向側）の表面に下スイッチ４８ａｒ、右スイッチ４８ｃｒ、左スイッチ４８ｄｒが設けられる。下スイッチ４８ａｒは、右スイッチ４８ｃｒ、左スイッチ４８ｄｒよりも下方に配置される。右スイッチ４８ｃｒ、左スイッチ４８ｄｒは、同じ高さ位置で運転席１００から視て右側に右スイッチ４８ｃｒが、左側に左スイッチ４８ｄｒが並んで配置されている。また、下スイッチ４８ａｒ、右スイッチ４８ｃｒ、左スイッチ４８ｄｒと反対側の車両前方側の表面には、トリガスイッチ４８ｂｒが設けられる。
【００６５】
下スイッチ４８ａｒ、右スイッチ４８ｃｒ、左スイッチ４８ｄｒは、運転者が右操作レバー２６Ｂを右手で把持しながら、右手の親指で操作可能な位置に配置される。また、トリガスイッチ４８ｂｒは、運転者が右操作レバー２６Ｂを右手で把持しながら、右手の人差し指または中指で操作可能な位置に配置される。
【００６６】
下スイッチ４８ａｒ、右スイッチ４８ｃｒ、左スイッチ４８ｄｒ、トリガスイッチ４８ｂｒは、例えばスイッチ４１ａ〜４１ｆと同様に、押すたびにオンとオフとを繰り返し、かつ、押された後に押す前の基準位置まで戻るタイプのスイッチであるのが好ましい。
【００６７】
また、下スイッチ４８ａｒ、右スイッチ４８ｃｒ、左スイッチ４８ｄｒ、トリガスイッチ４８ｂｒは、例えばスイッチ４１ａ〜４１ｆと同様に、右操作レバー２６Ｂの表面と一体的に形成されている。これにより、各スイッチ４８ａｒ〜４８ｄｒと右操作レバー２６Ｂの表面との間に隙間が無くなるので、右操作レバー２６Ｂの防塵性を向上できる。
【００６８】
また、左操作レバー２６Ａにも、右操作レバー２６Ｂと同様の下スイッチ４８ａｌ、トリガスイッチ４８ｂｌ、右スイッチ４８ｃｌ、左スイッチ４８ｄｌが設けられる（図４参照）。下スイッチ４８ａｌ、トリガスイッチ４８ｂｌ、右スイッチ４８ｃｌ、左スイッチ４８ｄｌの配置は、図６を参照して説明した右操作レバー２６Ｂの下スイッチ４８ａｒ、トリガスイッチ４８ｂｒ、右スイッチ４８ｃｒ、左スイッチ４８ｄｒと同様である。
【００６９】
操作レバーのスイッチ群の割り当ては、例えば右操作レバー２６Ｂの下スイッチ４８ａｒがワンタッチアイドル機能（ショベルのエンジンをアイドル運転に切り替える機能）、トリガスイッチ４８ｂｒがワイパー＋ウォッシャー機能、右スイッチ４８ｃｒがハンズフリー受話機能（ブルートゥース（登録商標）接続されたスマートフォンの受話操作を行う機能）、左スイッチ４８ｄｒがエアコンのオンオフ切り替え機能である。また、左操作レバー２６Ａの下スイッチ４８ａｌがホーン機能、トリガスイッチ４８ｂｌがラジオ４３などのミュート機能、右スイッチ４８ｃｌが障害物検知警報音（ショベルの障害物検知機能の実行中にショベルの周囲に障害物や人を検知した場合にその旨を運転者に報知するための警報音）のオンオフ切り替え機能、左スイッチ４８ｄｌが表示装置３３に表示するカメラ画像の切り替え機能である。
【００７０】
なお、右スイッチ４８ｃｌの障害物検知警報音切り替え機能は、ロッカースイッチ４４やスイッチパネル４１のスイッチ群４１ａ〜４１ｆに割り当てる構成でもよい。
【００７１】
このように、左操作レバー２６Ａ及び右操作レバー２６Ｂのスイッチ群４８ａｌ〜４８ｄｌ，４８ａｒ〜４８ｄｒの機能は、スイッチパネル４１のスイッチ群４１ａ〜４１ｆの機能とは異なる機能を割り当てることができる。なお、左操作レバー２６Ａ及び右操作レバー２６Ｂのスイッチ群４８ａｌ〜４８ｄｌ，４８ａｒ〜４８ｄｒの各機能は、例えば表示装置３３上の操作によって任意に変更が可能である。
【００７２】
図７、図８を参照して、スイッチ形状の変形例について説明する。図７は、変形例のスイッチパネル４１の近傍を示す側面図である。図８は、変形例のスイッチパネル４１の近傍を示す斜視図である。スイッチパネル４１のスイッチ群４１ａ〜４１ｆの形状は、図５、図６に示した形状に限られず、例えば図７、図８に示すように上面が平坦な形状でもよい。
【００７３】
以上、具体例を参照しつつ本実施形態について説明した。しかし、本開示はこれらの具体例に限定されるものではない。これら具体例に、当業者が適宜設計変更を加えたものも、本開示の特徴を備えている限り、本開示の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【００７４】
スイッチパネル４１は、ダイヤル３２を含まない構成でもよい。この場合、ダイヤル３２は、シート右側コンソール１２０Ｂ上の他の箇所や、窓側コンソール１２０Ｃに設置すればよい。
【００７５】
スイッチパネル４１は、後方側に傾斜させずにシート右側コンソール１２０Ｂの上面と同様に水平でもよい。ダイヤル３２は、シート右側コンソール１２０Ｂの上面と平行に配置されてもよい。
【００７６】
上記実施形態では、スイッチ群４１ａ〜４１ｆは、表示装置側スイッチ群３４と異なる機能を有していたが、同一の機能を有するスイッチであってもよい。具体的に、表示装置側スイッチ群３４は、エアコンの温度調整や風量調整、アワーメータとトリップメータの切替、上下左右キー、走行切り換え、ワイパー、ライト、ウィンドウォッシャー、予備回路切換え（アタッチメント切り換え）、クレーンモード切替の機能を有するスイッチを有し、スイッチパネル４１の上面４５には、この機能に関するスイッチを全て含んでもよいし、少なくとも一つの機能を有するスイッチを含んでいてもよい。
【００７７】
上記実施形態では、建設機械の一例としてショベルを例示したが、ショベルと同様のキャビン１０を有するものであれば、リフティングマグネット、グラップル、破砕機等を備えた他の建設機械にも適用可能である。
【００７８】
本国際出願は２０１８年３月２８日に出願された日本国特許出願２０１８−０６２８０５号に基づく優先権を主張するものであり、２０１８−０６２８０５号の全内容をここに本国際出願に援用する。
【符号の説明】
【００７９】
１０    キャビン
２６Ｂ    右操作レバー
３２    ダイヤル
３５    出力特性切替スイッチ
４１    スイッチパネル
４１ａ〜４１ｆ    スイッチ群
４５    スイッチパネルの上面
１００    運転席
１０６Ｂ    右アームレスト
１０７    右アームレストの前端部
１２０Ｂ    シート右側コンソール
Ａ    回転軸
【図１】
2019189507.tif 000003
【図２】
2019189507.tif 000004
【図３】
2019189507.tif 000005
【図４】
2019189507.tif 000006
【図５】
2019189507.tif 000007
【図６】
2019189507.tif 000008
【図７】
2019189507.tif 000009
【図８】
2019189507.tif 000010
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
キャビンと、
前記キャビン内に設けられる運転席と、
前記運転席に着座した操作者の右側に設けられ、前記運転席の前後方向に沿って延在するシート右側コンソールと、
前記シート右側コンソールの前部に設けられる右操作レバーと、
前記シート右側コンソール上に設けられるスイッチパネルと、
前記運転席の後部側から前方へ延在し、前記シート右側コンソールの上方に配置される右アームレストと、
を備え、
前記スイッチパネルは、前記右アームレストと前記右操作レバーとの間に配置される、
建設機械。
【請求項２】
前記スイッチパネルの上面は、前記右アームレスト側へ傾斜して配置される、
請求項１に記載の建設機械。
【請求項３】
前記スイッチパネルには、回転軸まわりに回転可能なダイヤルが含まれる、
請求項１に記載の建設機械。
【請求項４】
前記ダイヤルは、水平面に対して前記回転軸が前記右操作レバー側へ傾斜して配置される、
請求項３に記載の建設機械。
【請求項５】
前記ダイヤルは、前記回転軸の方向に押すと当該建設機械の出力特性が切り替わる、
請求項３に記載の建設機械。
【請求項６】
前記スイッチパネルはスイッチ群を含み、
前記スイッチ群の少なくとも一部は、前記ダイヤルよりも前記運転席側に配置される、
請求項３に記載の建設機械。
【請求項７】
前記右アームレストは、前記運転席と共に前後方向に移動可能であり、
前記右アームレストが前端位置にある場合でも、前記スイッチパネルを上方から覆わないように長さが設定される、
請求項１に記載の建設機械。
【請求項８】
前記スイッチパネルは複数のスイッチを含み、
前記スイッチは、前方部よりも後方部が突出して形成される、
請求項１に記載の建設機械。
【請求項９】
前記スイッチパネルは複数のスイッチを含み、
前記スイッチは、前記スイッチパネルの上面と一体的に形成される、
請求項１に記載の建設機械。
【請求項１０】
前記スイッチパネルは複数のスイッチを含み、
前記スイッチパネルの上面には、前記複数のスイッチのそれぞれに対応する複数のインジケータが設けられ、
前記複数のインジケータは、対応する前記スイッチの操作に応じて点灯状態と消灯状態とが切り替わる、
請求項１に記載の建設機械。
【請求項１１】
前記右操作レバーに複数のスイッチが設けられ、
前記複数のスイッチは、前記右操作レバーの表面と一体的に形成される、
請求項１に記載の建設機械。
【請求項１２】
前記キャビンは、ワイパー、エアコン、及び窓を有する、
請求項１に記載の建設機械。
【請求項１３】
前記スイッチパネルには、回転軸まわりに回転可能なダイヤルが含まれ、
前記スイッチパネルの上面が前記右アームレスト側へ傾斜し、かつ、前記ダイヤルの回転軸が前記右操作レバー側へ傾斜して配置される、
請求項１に記載の建設機械。
【請求項１４】
前記スイッチパネルは複数のスイッチを含み、
前記スイッチパネルの上面と前記スイッチとの間が隙間なく一体的に形成される、
請求項１に記載の建設機械。
【請求項１５】
前記スイッチパネルは複数のスイッチを含み、
前記複数のスイッチは、同時に押すスイッチの組合せによって機能が変わる、又は、スイッチの押下回数または押下時間によって機能が変わる、
請求項１に記載の建設機械。
【国際調査報告】
2019189507.tif 000011
2019189507.tif 000012
2019189507.tif 000013
2019189507.tif 000014